(57)【要約】【課題】マスクを着用した者に冷感を感じさせるマスク用冷感シートを提供する。【解決手段】マスク用冷感シート１は、吸水して保水する保水シート１０と、通気性を有し、保水シートを覆う被覆シート２０と、被覆シート２０から被覆シート２０の面方向に延伸する折り返し部２１と、折り返し部２１に配置された粘着層３０と、を備える。保水シート１がマスクの内側の面に配置され、折り返し部２１がマスクの縁にて折り返されてマスクの外側の面に粘着層３０で貼着される。【選択図】図１
0003227651.tif 000002
【実用新案登録請求の範囲】
【請求項１】
吸水して保水する保水シートと、
通気性を有し、前記保水シートを覆う被覆シートと、
前記被覆シートから前記被覆シートの面方向に延伸する折り返し部と、
前記折り返し部に配置された粘着層と、を備え、
前記保水シートがマスクの内側の面に配置され、前記折り返し部が前記マスクの縁にて折り返されて前記マスクの外側の面に前記粘着層で貼着される、
ことを特徴とするマスク用冷感シート。
【請求項２】
前記被覆シートが前記保水シートを挟んで覆っている、
ことを特徴とする請求項１に記載のマスク用冷感シート。
【請求項３】
前記折り返し部は前記被覆シートの一部である、
ことを特徴とする請求項１又は２に記載のマスク用冷感シート。
【請求項４】
前記折り返し部は、前記被覆シートから最も突出している点を頂点とする二等辺三角形状である、
ことを特徴とする請求項１乃至３のいずれか一項に記載のマスク用冷感シート。
【考案の詳細な説明】
【技術分野】
【０００１】
本考案は、マスク用冷感シートに関する。
【背景技術】
【０００２】
マスクは感染症対策に有用とされており、病院のほか、人が集まる多くの場所で広く使用されている。しかし、マスクを着用すると、着用者に暑さを感じさせる。特に顔の形状に沿った立体マスクでは、鼻当て部分や、顎当て部分が着用者の顔面にフィットするよう設計されており、マスクで覆われている箇所は半ば密閉状態になるため、たとえ通気性の高い素材から構成されたマスクであっても、顔からの熱や呼気による熱がこもりやすい。
【０００３】
感染症の蔓延など、気温の高い場所や暑い時期であってもマスクの着用を余儀なくされる場合があり、マスクの着用によって熱中症にかかる危険性も指摘されている。
【０００４】
なお、マスク内の保湿を考慮したものとして、特許文献１には、マスク本体の内面に貼着される鼻用保湿材が開示されている。この鼻用保湿材は、保水層と、保水層の裏面に設けられた粘着層とを備えている。
【０００５】
また、特許文献２にも、マスク本体の内面に貼着される保湿体が開示されている。この保湿体は、貼付体と、貼付体の裏面に配置された吸水体とを備えている。
【先行技術文献】
【特許文献】
【０００６】
【特許文献１】特開２０２０−７６１９６号公報
【特許文献２】特許第５７３４５３０号公報
【考案の概要】
【考案が解決しようとする課題】
【０００７】
特許文献１、２は、いずれも鼻腔の乾燥を防ぐことを目的としたものである。水を吸水可能な保湿体、吸水体がマスク着用状態で着用者の鼻孔の辺りに位置するよう、マスクの内側の面に貼り付けられるものであり、肌に直接的に触れるものではなく、着用者に冷感を感じさせるものではない。
【０００８】
本考案は上記事項に鑑みてなされたものであり、その目的は、マスクを着用した者に冷感を感じさせるマスク用冷感シートを提供することにある。
【課題を解決するための手段】
【０００９】
本考案に係るマスク用冷感シートは、
吸水して保水する保水シートと、
通気性を有し、前記保水シートを覆う被覆シートと、
前記被覆シートから前記被覆シートの面方向に延伸する折り返し部と、
前記折り返し部に配置された粘着層と、を備え、
前記保水シートがマスクの内側の面に配置され、前記折り返し部が前記マスクの端部にて折り返されて前記マスクの外側の面に前記粘着層で貼着される、
ことを特徴とする。
【００１０】
また、前記被覆シートが前記保水シートを挟んで覆っていてもよい。
【００１１】
また、前記折り返し部は前記被覆シートの一部であってもよい。
【００１２】
また、前記折り返し部は、前記被覆シートから最も突出している点を頂点とする二等辺三角形状であってもよい。
【考案の効果】
【００１３】
本考案によれば、マスクを着用した者に冷感を感じさせるマスク用冷感シートを提供できる。
【図面の簡単な説明】
【００１４】
【図１】マスク用冷感シートの斜視図である。
【図２】図１のＡ−Ａ’断面図である。
【図３】マスク用冷感シートの製造例を示す斜視図である。
【図４】マスク用冷感シートの製造例を示す斜視図である。
【図５】マスク用冷感シートの使用状態を示す斜視図である。
【図６】マスク用冷感シートの使用状態を示す断面図である。
【図７】マスク用冷感シートに再度吸水を行う様子を示す断面図である。
【考案を実施するための形態】
【００１５】
図を参照しつつ、本実施の形態に係るマスク用冷感シートについて説明する。マスク用冷感シート１は、図１、２に示すように、保水シート１０、被覆シート２０、折り返し部２１、粘着層３０、セパレータ３１を備える。
【００１６】
保水シート１０は、水分を吸収し保水可能なシートである。保水シート１０は、パルプ、綿、合成繊維など、上記機能を発揮させる素材から構成される。
【００１７】
被覆シート２０は、通気性を有するシートである。被覆シート２０は、不織布等、一般的なマスクに用いられる素材から構成される。
【００１８】
折り返し部２１は、被覆シート２０から被覆シート２０の面方向に延伸している部位である。ここでは、被覆シート２０の一部位が折り返し部２１として機能する形態であり、最も突出している点を頂点とする二等辺三角形状に延びている。
【００１９】
折り返し部２１の一方の面に粘着層３０が配置されている。粘着層３０は、マスクの内側の面に粘着し、マスク用冷感シート１をマスクに固定させる。粘着層３０には、使用時まで粘着力を維持させるべくセパレータ３１が貼付されている。
【００２０】
なお、マスク用冷感シート１のサイズに関しては、吸水量や使用時の適切なサイズ感を鑑みて、被覆シート２０の長さ（図１に示すＬ）が１００〜１３０ｍｍ、被覆シート２０の奥行（図１に示すＤ１）が２５〜４０ｍｍ、折り返し部２１の奥行（図１に示すＤ２）が１０〜２０ｍｍ、被覆シート２０で被覆されている状態での保水シート１０が２０〜３０ｍｍ×１００〜１１０ｍｍ程度であることが好ましい。
【００２１】
マスク用冷感シート１は、例えば、以下のようにして製造される。まず、図３に示すように、線対称の６角形の被覆シート２０を準備する。そして、被覆シート２０の上に保水シート１０を載置する。ここでは、保水シート１０は、上述したパルプ等の矩形状のシートを折り畳んで４重に積層された状態のものである。なお、パルプ等の矩形状のシートをそのままの状態で使用しても、複数重に折り畳んで使用しても、或いは、複数枚のシートを積層して使用してもよい。
【００２２】
続いて、図４に示すように、被覆シート２０が５角形状になるよう、被覆シート２０で保水シート１０を挟む。そして、被覆シート２０を折り畳んで保水シート１０を挟んだ後、被覆シート２０同士が直接接触する部分、即ち、保水シート１０に被さっていない部分を接着する。接着は熱圧着等、公知の手法で行えばよい。これにより、保水シート１０は被覆シート２０に内包されるとともに、折り返し部２１が形成される。
【００２３】
そして、折り返し部２１に粘着層３０を形成する。粘着層３０は、基材の両面に粘着剤が付された粘着テープを折り返し部２１に貼付する等、公知の手法で行い得る。
【００２４】
マスク用冷感シート１は、以下のようにして使用される。まず、マスク用冷感シート１に水を掛けたり、或いは、マスク用冷感シート１を水に浸したりすることにより、保水シート１０に水を吸水させる。吸水は、マスク用冷感シート１から水が滴らない程度に行うとよい。
【００２５】
粘着層３０を有する面をマスク４０の内側の面と対向させ、保水シート１０がマスクの鼻当て部（マスクの上部分）の内側の面に位置するとともに、折り返し部２１がマスクの上端の縁からはみ出すようにして、マスク用冷感シート１をマスクに配置する。そして、折り返し部２１をマスクの縁にてマスクの外側へと折り返す。セパレータ３１を剥離し、折り返し部２１をマスクの外側の面に貼り付ける。
【００２６】
図５、６に、マスク用冷感シート１を貼付したマスク４０の使用状況を示している。マスク用冷感シート１が着用者の鼻や頬に直接的に接し、保水シート１０に保水されている水が鼻や頬からの熱を吸収し、気化する。この気化熱によって、着用者に冷感、即ち、冷たさや涼やかさを感じさせることができる。この冷感効果によって、マスク用冷感シート１は、気温の高い場所や暑い時期においても、マスク４０を着用せざるを得ない者にとって非常に有用となる。
【００２７】
マスク用冷感シート１では、折り返し部２１に粘着層３０が配置され、マスク４０の外側の面に貼付されているため、マスク４０からマスク用冷感シート１がずれにくく、外れにくい。また、折り返し部２１が二等辺三角形状であるため、折り返し部２１の頂点をマスク４０の中心に合わせて配置すること、マスク用冷感シート１をマスク４０に貼付する際の位置合わせも容易である。
【００２８】
保水シート１０の水が気化して冷感効果が消失してきたら、保水シート１０に再度水を吸水させて使用することができる。その際、マスク４０からマスク用冷感シート１を取り外すことなく、図７に示すように、保水シート１０側を折り返して保水シート１０に水を含ませることができるため、再度の吸水が容易であるとともに、マスク４０への水の染み込みも抑えられる。また、マスク４０からマスク用冷感シート１を取り外さないので、再度の吸水を行った後、保水シート１０側をマスク４０の内側へと折り返すことで元の位置に戻り、マスク用冷感シート１の位置がずれることもない。
【００２９】
なお、上記では、折り返し部２１は被覆シート２０の一部位である形態について説明したが、折り返し部２１が被覆シート２０とは別のパーツであってもよく、被覆シート２０に折り返し部２１が公知の手法で貼り付けられたり縫い合わせられたりした形態であってもよい。
【００３０】
また、上記では、一枚の被覆シート２０で保水シート１０を両面から挟む形態について説明したが、２枚の被覆シート２０で保水シート１０を挟む形態であってもよい。
【符号の説明】
【００３１】
１    マスク用冷感シート
１０    保水シート
２０    被覆シート
２１    折り返し部
３０    粘着層
３１    セパレータ
４０    マスク
【図１】
0003227651.tif 000003
【図２】
0003227651.tif 000004
【図３】
0003227651.tif 000005
【図４】
0003227651.tif 000006
【図５】
0003227651.tif 000007
【図６】
0003227651.tif 000008
【図７】
0003227651.tif 000009